(57)【要約】      （修正有）【課題】携帯性に優れるだけでなく、美観的にスタイリッシュで、収納性にも優れ、かばん等からスムーズに取り出すことのできるブーツキーパーを提供する。【解決手段】左右のブーツ５に履き口から挿入し、ブーツ５の折れ曲がりを防止するためのブーツキーパー１であって、板状の支持片２と、当該支持片の板面と同程度の形状で、且つ前記左右のブーツ５に挿入する左右の挿入片３とから構成され、前記板状の支持片の下端を前記左右の挿入片の上端で挟み込むようにして重ねて二股状とし、連結部を介して夫々回転可能に連結してなる。【選択図】図７
0003167772.tif 000002
【実用新案登録請求の範囲】
【請求項１】
左右のブーツに履き口から挿入し、ブーツの折れ曲がりを防止するためのブーツキーパーであって、
板状の支持片と、当該支持片の板面と同程度の形状で、且つ前記左右のブーツに挿入する左右の挿入片とから構成され、前記板状の支持片の下端を前記左右の挿入片の上端で挟み込むようにして重ねて二股状とし、連結部を介して夫々回転可能に連結してなることを特徴とするブーツキーパー。
【請求項２】
前記左右の挿入片の各下端外側面から数珠つなぎ状に、前記支持片の板面と同程度の形状の１又は複数の挿入片を、上方の挿入片の下端外側面が下方の挿入片の上端内側面と重なるように、連結部を介して夫々回転可能に連結してなることを特徴とする請求項１に記載のブーツキーパー。
【請求項３】
前記左右の各挿入片のうち夫々の最下方の挿入片に、前記支持片の板面と同程度の形状で、且つ前記左右のブーツの足底部に挿入する左右の足底挿入片を、前記最下方の挿入片の各下端外側面が当該足底挿入片の上端内側面と重なるように、連結部を介して夫々回転可能に連結してなることを特徴とする請求項１又は請求項２のいずれかに記載のブーツキーパー。
【請求項４】
前記連結部に、所定の位置で回転を停止させる回転ストッパーが形成されていることを特徴とする請求項１乃至請求項３のいずれかに記載のブーツキーパー。
【考案の詳細な説明】
【技術分野】
【０００１】
本考案は、携帯性だけでなく収納性にも優れ、美観的にスタイリッシュなブーツキーパーに関する。
【背景技術】
【０００２】
ブーツのような比較的縦長の履物において、縦長ゆえに当該履物を脱ぎ置くと上部方向から屈曲して、履物が汚れたり型崩れたりするなどの問題があり、従来、当該問題を解消すべく、下記のようなブーツキーパーが提供されている。
【０００３】
例えば、クリップの両先端部分にネジ付伸縮自在の４本の棒を設け、当該棒の先端にクリップと平行にプレートを設け、伸縮棒をブーツの長さまで伸ばしてブーツの双方の内部に差込み、ブーツの底部にあてて双方の履き口の内側をクリップで挟むことにより、脱いだブーツが玄関で倒れておこる汚れの付着や、シワによる型崩れを防ぐことのできる携帯ブーツホルダーが提供されている（特許文献１）。
【０００４】
また、支持部と当該支持部に固定された２つの脚部からなり、当該脚部が、外径の異なる複数のパイプで構成されており、大径のパイプに対して小径のパイプが挿抜されることで脚長を伸縮させ、ブーツの胴筒の長さに応じてパイプを胴筒に挿入することにより、ブーツへの取り付けを簡単に行うことができ、携帯性、安定性に優れたブーツスタンドが提供されている（特許文献２）。
【先行技術文献】
【特許文献】
【０００５】
【特許文献１】特開２００９−０８２６６３号公報
【特許文献２】特開２０１０−０２９５７４号公報
【考案の概要】
【考案が解決しようとする課題】
【０００６】
一般的にブーツなどの縦長の履物を履くのは女性、特に比較的若い女性であるため、女性が携帯する品物は、携帯性に優れているだけでなく、特に、美観的にスタイリッシュであることが望まれる。
【０００７】
しかしながら、特許文献１に記載の携帯ブーツホルダーでは、伸縮棒を収縮させることで携帯性に優れてはいるものの、クリップから突出した４本の伸縮棒により美観が損なわれており、また、当該携帯ブーツホルダーは、通常、かばんなどに収納して携帯するものと推察されるが、かばん内の他の収納物が前記伸縮棒に引っ掛かってしまい、かばんから当該携帯ブーツホルダーを取り出すのに手間取ってしまうという問題があった。
【０００８】
また、特許文献２に記載のブーツスタンドにおいても、携帯性には優れているものの、携帯時に支持部から突出した脚部により美観が損なわれており、また、かばんなどに収納した際に、脚部が他の収納物に引っ掛かってしまったり、突出した脚部によってかばん内の収納スペースを広く占拠してしまったりするなど、収納性には優れていないという問題があった。
【０００９】
そこで、本考案は、携帯性に優れるだけでなく、美観的にスタイリッシュで、収納性にも優れ、かばんなどからスムーズに取り出すことのできるブーツキーパーを提供することを課題とした。
【課題を解決するための手段】
【００１０】
上記課題を解決するために、本考案は次のように構成した。すなわち、本考案に係る請求項１に記載のブーツキーパーは、左右のブーツに履き口から挿入し、ブーツの折れ曲がりを防止するためのブーツキーパーであって、板状の支持片と、当該支持片の板面と同程度の形状で、且つ前記左右のブーツに挿入する左右の挿入片とから構成され、前記板状の支持片の下端を前記左右の挿入片の上端で挟み込むようにして重ねて二股状とし、連結部を介して夫々回転可能に連結してなることを特徴としている。
【００１１】
また、請求項２に記載のブーツキーパーは、前記左右の挿入片の各下端外側面から数珠つなぎ状に、前記支持片と同程度の形状の１又は複数の挿入片を、上方の挿入片の下端外側面が下方の挿入片の上端内側面と重なるように、連結部を介して夫々回転可能に連結してなることを特徴としている。
【００１２】
また、請求項３に記載のブーツキーパーは、前記左右の各挿入片のうち夫々の最下方の挿入片に、前記支持片の板面と同程度の形状で、且つ前記左右のブーツの足底部に挿入する左右の足底挿入片を、前記最下方の挿入片の各下端外側面が当該足底挿入片の上端内側面と重なるように、連結部を介して夫々回転可能に連結してなることを特徴としている。
【００１３】
さらに、請求項４に記載の考案は、前記連結部に、所定の位置で回転を停止させる回転ストッパーが形成されていることを特徴としている。
【考案の効果】
【００１４】
本考案に係る請求項１に記載のブーツキーパーによれば、支持片の下端を左右の挿入片の上端で挟み込むように、支持片の下端と各挿入片の上端内側面とを回転可能に重ねて連結しているため、当該各挿入片を回転させて支持片と一直線状に伸ばすと二股状となり、各挿入片を夫々左右のブーツに挿入すればブーツの折れ曲がりを防止することができ、各挿入片を回転させて支持片と一致するように重ねると小型化による携帯性を得ることができる。また、前記挿入片が支持片の板面と同程度の形状で形成されているため、前記従来技術とは異なり、小型化しても挿入片が支持片から突出することはなく、美観的にスタイリッシュで、収納性にも優れ、かばんなどからスムーズに取り出すことができる。
【００１５】
また、請求項２に記載のブーツキーパーによれば、前記左右の挿入片に１又は複数の挿入片をさらに数珠つなぎ状に連結することにより、使用者が着用するブーツの長さに合わせてブーツキーパーの長さを調節することができ、また、夫々下方の挿入片の上端内側面が、上方の挿入片の下端外側で回転可能に連結されているため、夫々下方から挿入片を順々に回転させて上方の挿入片及び支持片に一致するように重ねると小型化による携帯性を得ることができ、さらには、各挿入片が前記支持片の板面と同程度の形状で形成されているため、各挿入片を上方の挿入片及び支持片に一致させて小型化した際に、美観的にスタイリッシュで、収納性にも優れ、かばんなどからスムーズに取り出すことができる。
【００１６】
また、請求項３に記載のブーツキーパーによれば、最下方に足底挿入片を形成されることにより、ブーツの足底部までを保持できるので、より安定した状態でブーツを保型でき、折れ曲がりを防止することができる。
【００１７】
さらに、請求項４に記載のブーツキーパーによれば、所定の位置で各挿入片の回転を停止することができるため、当該挿入片を伸ばした際のブーツキーパーの形状を維持しやすく、また、ストッパーの位置を変更することにより、ブーツの形状に応じてブーツキーパーの伸ばした際の形状を変更することができる。
【図面の簡単な説明】
【００１８】
【図１】本考案に係るブーツキーパーを示す斜視図である。
【図２】当該ブーツキーパーを示す正面図である。
【図３】連結部を示す拡大断面図である。
【図４】装飾を施したブーツキーパーを示す斜視図である。
【図５】挿入片の回転の様子を示す図である。
【図６】挿入片を回転させて当該ブーツキーパーを小型化した状態を示す図である。
【図７】当該ブーツキーパーをブーツに挿入した状態を示す図である。
【図８】他の実施例のブーツキーパーを示す斜視図である。
【図９】当該ブーツキーパーをブーツに挿入した状態を示す図である。
【図１０】回転ストッパーを示す拡大斜視図である。
【図１１】回転ストッパーを示す拡大断面図である。
【図１２】回転ストッパーを示す拡大断面図である。
【考案を実施するための形態】
【００１９】
以下、図面に基づいて本考案を具体的に説明する。図１は、本考案に係るブーツキーパー１の構成を示す斜視図であり、図２は、当該ブーツキーパー１を示す正面図である。当該ブーツキーパー１は、支持片２と複数の挿入片３と、当該支持片２及び複数の挿入片３を連結する連結部４とから構成される。支持片２は、小判状の板体であり、金属製、合成樹脂製、木製などの素材で形成する。また、挿入片３は、当該支持片２の板面と同形状の小判状の板体であり、金属製、合成樹脂製、木製などの素材で形成する。なお、図示の通り、支持片２と挿入片３は夫々の板面の形状は同じで、支持片２の方が挿入片３よりも板体が厚く形成されているが、夫々の板面の形状が同じであればよく、板体の厚みまで同じである必要はない。
【００２０】
当該ブーツキーパー１は、支持片２の下端左右両面を左右の挿入片３の上端で挟み込むようにし、支持片２の下端と左右の挿入片３の上端とを重ねて二股状に形成するとともに、図１には図示されていないが、連結部４を介し、左右の挿入片３が支持片２の夫々の板面に沿って回転するように回転可能に連結する。また、当該一対の挿入片３の夫々の下端外側面には、さらに挿入片３を、連結部４を介し、上方の挿入片３の板面に沿って回転するように回転可能に連結する。当該挿入片３は、支持片２に連結した左右の挿入片３の各下端外側面から数珠つなぎ状に、上方の挿入片３の下端外側面が下方の挿入片３の上端内側面と重なるようにいくつ連結してもよく、ブーツの長さに応じて連結する挿入片３の数を変更することができる。
【００２１】
図３は、支持片２と挿入片３、又は上下の挿入片３を回転可能に連結する連結部４を示し、図２に示すブーツキーパー１を奥行き方向の中央で上下に切断した状態を示す拡大断面図である。図３（ａ）は、支持片２に左右の挿入片３を連結する様子を示す拡大断面図であり、図３（ｂ）は、上下の挿入片３を連結する様子を示す拡大断面図である。当該連結部４は、各挿入片３の上端内側面からキノコ状に突出し、その頂点から挿入片３方向に切欠き４ａが形成された突起部４ｂと、支持片２の下端及び各挿入片３の下端外側面に形成され、当該キノコ状の突起部４ｂに対応して奥側で広がった形状の孔４ｃとから構成されている。支持片２と挿入片３、又は各挿入片３を連結するに際しては、当該キノコ状の突起部４ｂを、孔４ｃに挿入する。この時、突起部４ｂは、当該突起部４ｂに形成された切欠き４ａを内側に撓ませながら孔４ｃに挿入し、キノコ状に形成された突起部４ｂの傘の部分が、当該孔４ｃの奥側で係止される。これにより、支持片３及び各挿入片３は、その連結状態を保持しながら、当該突起部４ｂを軸として回転可能となる。なお、最下方の挿入片３の下端外側面には、孔４ｃを設けなくてもよい。
【００２２】
図４は、連結部４により挿入片３を回転させる様子を示す図である。上述のように、突起部４ｂを軸として支持片２に連結した挿入片３と他の各挿入片３を回転させることにより、図５に示すように、支持片２に重なるように各挿入片３を折り畳むことができ、ブーツキーパー１をコンパクトに小型化することができる。
【００２３】
本実施例では、支持片２を小判状に形成し、挿入片３を当該支持片２の板面と同じ小判状に形成したが、円盤状、多角盤状、星型盤状など、小判状に限られず、支持片２の板面と同形状であれば、挿入片３を種々の形状で形成してもよい。また、挿入片３が支持片２の板面と同程度の形状であってもよい。ここで、挿入片３が支持片２の板面と同程度の形状であるとは、両者の板体の厚みまで考慮するものではなく、さらに、例えば、図６（ａ）及び（ｂ）に示すように、支持片２と各挿入片３を円盤状に形成して連結部４を介して連結し、最下方の挿入片３に熊の顔の装飾を施した場合に、当該熊の耳の装飾により最下方の挿入片３の形状が支持片２又は他の挿入片３の板面の形状とは相違してしまうが、このような装飾による僅かな相違まで考慮するものではなく、支持片２の板面と各挿入片３の板面とが全体的にほぼ同形状であればよい。なお、当該例示した熊の顔の形状とは逆に、円盤状の範囲よりも小さい範囲で板面が形成された挿入片３も同様に、支持片２の板面と全体的にほぼ同形状であればよく、また、支持片２に何らかの装飾が施されている場合も同様である。
【００２４】
図７は、ブーツキーパー１をブーツ５に挿入した様子を示す図である。このように、当該ブーツキーパー１は、支持片２から二股に形成された左右の挿入片３を左右夫々のブーツ５に挿入して利用することにより、ブーツ５を保型して折れ曲がりを防止することができる。なお、上記の通り、支持片２から挿入片３をいくつ連結するかは限定されるものでなく、ブーツ５の長さに応じて挿入片３を連結する個数を決定すればよい。本実施例では、支持片２の左右に夫々２つの挿入片３を連結したが、支持片２の左右に夫々１つの挿入片３を連結してもよく、夫々３つ以上の挿入片３を連結してもよい。
【００２５】
また、図５で示したように、左右に連結した各挿入片３を支持片２上に重ねるように折り畳み、ブーツキーパー１をコンパクトに小型化すれば、携帯性に優れているだけでなく、かばん等内のスペースを無駄にすることなく収納性にも優れ、かばん等から容易に取り出すこともできる。また、コンパクトに小型化したことにより、外観的にスタイリッシュであり、美観性にも優れている。さらに、図６に示すような装飾を施せば、一段と美観性に優れたブーツキーパー１を提供することができる。
【００２６】
図８は、足底挿入片６を最下方の挿入片３に連結したブーツキーパー１を示す図である。足底挿入片６は、挿入片３と同形状の小判状の板体で、金属製、合成樹脂製、木製などの素材で形成する。当該足底挿入片６は、支持片２に連結された挿入片３の左右の最下方の挿入片３の下端外側面に、足底挿入片６の上端内側面を重ね、連結部４を介して回転可能に連結する。当該足底挿入片６は、基本的には、上記挿入片３よりも厚めの板体に形成したり、足底挿入片６の板体の周端部をブーツ５の中敷面の起伏に沿った形状に形成したりする等、ブーツ５の足底部をより安定的に保型するための形状に形成することが好ましいが、ここでは、当該足底挿入片６を支持部２及び挿入片３と同じ直線状に伸ばし、最下方の挿入片３として使用する場合があることも踏まえて、当該挿入片３と同形状の小判状の板体とした。なお、言い換えれば、上記最下方の挿入片３を足底挿入片６として使用することも可能である。また、当該足底挿入片６も、支持片２又は挿入片３と必ずしも同形状である必要はなく、同程度の形状であればよい。
【００２７】
連結部４は、当該足底挿入片６の上端内側面からキノコ状に突出し、頂点から足底挿入片６方向に切欠き４ａが形成された突起部４ｂと、最下方の左右の挿入片３の下端外側面に形成され、当該キノコ状の突起部４ｂに対応して奥側で広がった形状の孔４ｃとから構成されている。当該突起部４ｂを孔４ｃに挿入することにより、足底挿入片６を最下方の左右の挿入片３に回転可能に連結する。具体的には、上記図３（ｂ）で示した上下の挿入片３の連結方法と同様であるため、ここでは図示しない。なお、足底挿入片６の下端外側面には、孔４ｃを設けなくてもよい。
【００２８】
図９は、当該足底挿入片６を設けたブーツキーパー１をブーツ５に挿入した状態を示す図である。足底挿入片６は、回転可能に挿入片３に連結されているため、ブーツ５の筒部から足底部への屈曲角度に応じて、足底挿入片６を回転させて曲げ、ブーツ５の足底部まで足底挿入片６を挿入する。これにより、さらに安定してブーツ５を保型し、折れ曲がりを防止することができる。
【００２９】
次に、回転可能に連結した挿入片３の回転を所定の位置で停止させる回転ストッパー７について説明する。図１０は、当該回転ストッパー７を示す拡大斜視図であり、上下の挿入片３の連結部４を分離し拡大したものである。当該回転ストッパー７は、上方の挿入片３の孔４ｃの上下両側に夫々孔４ｃ方向に開口したＵ字状貫通孔７ａと、当該Ｕ字状貫通孔７ａに囲まれた領域の中央近傍に設けた凸部７ｂと、下方の挿入片３の突起部４ｂの上下両側で前記凸部７ｂに対応する位置に設けた凹部７ｃとから構成されている。
【００３０】
図１１は、上記図１０で示した当該回転ストッパー７の凸部７ｂを凹部７ｃに係止し、上下の挿入片３を直線状に伸ばした状態を示し、当該ブーツキーパー１を正面視して奥行き方向の中央で上下に切断した状態を示す拡大断面図である。図４で示した挿入片３のように、当該図１１に図示された下方の挿入片３を上方の挿入片３の外側面に沿って回転させると、凸部７ｂと凹部７ｃの係止状態が解除され、凸部７ｂが下方の挿入片３の内側面に当接してＵ字状貫通孔７ａに囲まれた領域を内側に撓ませながら、下方の挿入片３を外側へと擦り抜けさせ、上下の挿入片３の回転停止状態を解除する。逆に、上下の挿入片３の回転を停止するには、下方の挿入片３を回転させ、下方の挿入片の内側面で凸部７ｂを押圧し、Ｕ字状貫通孔７ａに囲まれた領域を内側に撓ませながら凸部７ｂを摺動させて下方の挿入片３の凹部７ｃに係止する。
【００３１】
このような回転ストッパー７を設けることにより、所定の位置で挿入片３の回転を停止することができるため、ブーツ５に挿入するために支持片２及び左右に連結した各挿入片３を直線状に伸ばした状態及びコンパクトに小型化した状態という主な利用態様の形状でブーツキーパー１の形状を固定することができ、ブーツキーパー１の利便性を向上させることができる。
【００３２】
ここでは、当該回転ストッパー７の説明を上下の挿入片３の連結部を用いて説明したが、図１２の拡大断面図に示すように、支持片２と左右の挿入片３との連結部においても、支持片２の板面と左右の挿入片３の上端内側面に回転ストッパー７を設ければよく、また、挿入片３と足底挿入片６との連結部においても、図１１と同様に構成した回転ストッパー７を設ければよい。なお、挿入片３と足底挿入片６との連結部に回転ストッパー７を設ける場合、ブーツ５の筒部から足底部への屈曲角度に応じた角度で足底挿入片６の回転が停止するように、回転ストッパー７を設ければよい。
【００３３】
また、図３（ａ）（ｂ）及び図１１に示すように、連結部４に係る突起部４ｂは、切欠き４ａにより内側に撓ませれば孔４ｃから引き抜くことができ、着脱可能に形成されているため、挿入片３を連結する個数を変更したり、装飾を施した挿入片３に変更したりするなど、目的や場合に応じて利用方法を変更することができる。
【００３４】
また、図１、図３又は図８で示したブーツキーパー１の構成から支持片２を取り除き、支持片２の左右に連結していた挿入片３の内側面同士を接合すれば、当該接合した左右の挿入片３を支持片２の代用とすることができる。当該左右の挿入片３は、接着剤や両面テープ接着を左右の挿入片３の内側面間に挟みこむことにより接合すればよいが、例えば、図示はしないが、左右の挿入片３に設けた鍵状の係止片を互いに係止することにより両者の接合状態を固定してもよく、当該左右の挿入片３が接合した状態で固定維持できるのであれば、どのような態様であってもよい。また、図１０、図１１及び図１２で示した回転ストッパー７を設けたブーツキーパー１においても、支持片２を取り除き、支持片２の左右に連結していた挿入片３の内側面同士を接合し、支持片２の代用としてもよい。
【産業上の利用可能性】
【００３５】
支持片２、挿入片３又は足底挿入片６の夫々の板面外側に広告用の文字や商標をデザインしたり、広告用のシールを貼付したりすれば、広告欄としての利用が可能である。また、上記のように支持片２、挿入片３又は足底挿入片６に文字、模様やキャラクターなどの装飾を施すこともできる。
【００３６】
また、図示はしないが、支持片２の上端に輪状の取付部を設けて、ストラップやキーホルダー等を取り付けた装飾をすることができるように構成してもよい。
【符号の説明】
【００３７】
１    ブーツキーパー
２    支持片
３    挿入片
４    連結部
４ａ  切欠き
４ｂ  突起部
４ｃ  孔
５    ブーツ
６    足底挿入片
７    回転ストッパー
７ａ  Ｕ字状貫通孔
７ｂ  凸部
７ｃ  凹部
【図１】
0003167772.tif 000003
【図２】
0003167772.tif 000004
【図３】
0003167772.tif 000005
【図４】
0003167772.tif 000006
【図５】
0003167772.tif 000007
【図６】
0003167772.tif 000008
【図７】
0003167772.tif 000009
【図８】
0003167772.tif 000010
【図９】
0003167772.tif 000011
【図１０】
0003167772.tif 000012
【図１１】
0003167772.tif 000013
【図１２】
0003167772.tif 000014